(57)【要約】  本発明は、洗浄過程で貯水に使用可能な洗浄槽と、洗浄槽からの排水を収集するための集水装置を含み、前記集水装置が集水室を含み、集水室内に容積を増大させるための容量増大構造が備わっている洗濯機を提供する。本発明の洗濯機における集水装置の集水室内には、容積を増大させるための容量増大構造が備わっている。容量増大構造は、集水装置の高さを変えることなく、集水室をできる限り外側に拡張することで容積を増大させるとの目的を実現する。これにより、集水装置からの水の飛散や溢水の問題が回避される。【選択図】図２３
2021515637.tif 000002
【特許請求の範囲】
【請求項１】
洗浄過程で貯水に使用可能な洗浄槽と、洗浄槽からの排水を収集するための集水装置を含み、前記集水装置は集水室を含み、集水室内に容積を増大させるための容量増大構造が備わっていることを特徴とする洗濯機。
【請求項２】
前記集水室の底壁は、中央部に位置する底壁本体と、底壁本体の外周に位置して下方に窪んだ集水槽を含み、前記集水装置は、集水槽と連通する排水口を含み、前記容量増大構造は、集水槽における底壁本体寄りの側壁に位置しており、集水槽の容積を増大させるために用いられることを特徴とする請求項１に記載の洗濯機。
【請求項３】
前記容量増大構造は第１容量増大部を含み、第１容量増大部は、集水槽における底壁本体寄りの側壁が底壁本体に向かって傾斜しつつ延伸することで形成されることを特徴とする請求項２に記載の洗濯機。
【請求項４】
前記集水槽における底壁本体寄りの側壁は、周方向全体において底壁本体に向かって傾斜しつつ延伸することで、全周にわたる第１容量増大部を形成するか、
或いは、前記集水槽における底壁本体寄りの側壁は、部分的に底壁本体に向かって傾斜しつつ延伸することで、底壁本体の外周に沿って分布する複数の第１容量増大部を形成することを特徴とする請求項３に記載の洗濯機。
【請求項５】
前記第１容量増大部は、底壁本体の周方向全体における各位置の傾斜角度がいずれも同じであるか、
或いは、前記第１容量増大部は、底壁本体の周方向全体における各位置の傾斜角度が徐々に大きくなっていることを特徴とする請求項３又は４に記載の洗濯機。
【請求項６】
前記容量増大部は第２容量増大部を含み、第２容量増大部は、集水槽における底壁本体寄りの側壁が底壁本体に向かって窪むことで形成されることを特徴とする請求項２〜５のいずれか１項に記載の洗濯機。
【請求項７】
前記第２容量増大部は、集水槽における底壁本体寄りの側壁の一部が底壁本体に向かって窪むことで形成されて底壁本体の外周に分布する複数の内凹陥部を含み、
このうち、少なくとも１つの内凹陥部は、排水口の位置に対応して設けられることを特徴とする請求項６に記載の洗濯機。
【請求項８】
前記洗浄槽の槽壁のうち最高水位以下に位置する部分は封止して設けられ、前記洗浄槽は洗浄過程において貯水に用いることができ、前記洗浄槽の槽壁のうち最高水位よりも上に位置する部分には脱水孔が設けられており、前記洗浄槽は脱水過程において脱水孔から排水可能であり、前記洗浄槽の外壁には脱水排水装置が設けられており、脱水排水装置の入水端は前記脱水孔と連通しており、脱水排水装置の吐水端は集水装置の集水室内まで延伸していることを特徴とする請求項１〜７のいずれか１項に記載の洗濯機。
【請求項９】
前記集水装置は、洗浄槽の下方に位置するとともに洗浄槽と同軸に設置され、前記集水装置の上部の開口は洗浄槽の脱水孔よりも低くなるよう設けられ、前記脱水排水装置は、上から下へ集水装置の集水槽内まで延伸する排水経路を含んでおり、前記集水槽における垂直方向の深さは、洗浄槽の脱水時の回転方向に沿って徐々に増大していることを特徴とする請求項８に記載の洗濯機。
【請求項１０】
前記洗浄槽の槽口位置には複数の脱水孔が設けられており、前記排水経路は複数とし、各脱水孔にそれぞれ一対一で対応しており、排水経路の上端は脱水孔と連通し、下端は集水装置の集水槽内まで延伸しており、
或いは、前記洗浄槽の槽口位置には複数の脱水孔群が均一に設けられており、各脱水孔群が複数の脱水孔を含んでおり、前記排水経路は複数とし、脱水孔群にそれぞれ一対一で対応しており、排水経路の上端は１つの脱水孔群の複数の脱水孔と連通し、下端は集水装置の集水槽内まで延伸していることを特徴とする請求項９に記載の洗濯機。
【発明の詳細な説明】
【技術分野】
【０００１】
本発明は洗濯機器の技術分野に関し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽とパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を増大させるためには、より大きな回転槽が必要となる。即ち、回転槽の高さ又は直径を拡大する必要がある。また、回転槽がより大きなサイズを有する場合には、回転槽を収容する収容槽及びハウジングもまた回転槽の拡大に伴って増大させる必要がある。
【０００４】
しかし、洗濯機の外観に対応するハウジングの拡大は、洗濯機の設置領域のスペースによって規制される。一般的なユーザの家庭では、洗濯機の設置位置に限りがあるため、洗濯機のハウジングを拡大して洗濯槽の容量を増大させるとの目的を達成することはあまり現実的ではない。そこで、洗濯機のハウジングを拡大することなく、如何にして回転槽の容量を増大させるかが設計者を悩ませる大きな難題となっている。
【０００５】
上記に鑑みて、本発明を提案する。
【発明の概要】
【発明が解決しようとする課題】
【０００６】
上記の課題を解決するために、本発明の目的は洗濯機を提供することである。具体的には、以下の技術方案を用いる。
【課題を解決するための手段】
【０００７】
洗濯機であって、洗浄過程で貯水に使用可能な洗浄槽と、洗浄槽からの排水を収集するための集水装置を含む。前記集水装置は集水室を含み、集水室内に容積を増大させるための容量増大構造が備わっている。
【０００８】
更に、前記集水室の底壁は、中央部に位置する底壁本体と、底壁本体の外周に位置して下方に窪んだ集水槽を含む。前記集水装置は、集水槽と連通する排水口を含む。前記容量増大構造は、集水槽における底壁本体寄りの側壁に位置しており、集水槽の容積を増大させるために用いられる。
【０００９】
更に、前記容量増大構造は第１容量増大部を含む。第１容量増大部は、集水槽における底壁本体寄りの側壁が底壁本体に向かって傾斜しつつ延伸することで形成される。
【００１０】
更に、前記集水槽における底壁本体寄りの側壁は、周方向全体において底壁本体に向かって傾斜しつつ延伸することで、全周にわたる第１容量増大部を形成する。
【００１１】
或いは、前記集水槽における底壁本体寄りの側壁は、部分的に底壁本体に向かって傾斜しつつ延伸することで、底壁本体の外周に沿って分布する複数の第１容量増大部を形成する。
【００１２】
更に、前記第１容量増大部は、底壁本体の周方向全体における各位置の傾斜角度がいずれも同じである。
【００１３】
或いは、前記第１容量増大部は、底壁本体の周方向全体における各位置の傾斜角度が徐々に大きくなっている。
【００１４】
更に、前記容量増大部は第２容量増大部を含む。第２容量増大部は、集水槽における底壁本体寄りの側壁が底壁本体に向かって窪むことで形成される。
【００１５】
更に、前記第２容量増大部は、集水槽における底壁本体寄りの側壁の一部が底壁本体に向かって窪むことで形成されて底壁本体の外周に分布する複数の内凹陥部を含む。
【００１６】
少なくとも１つの内凹陥部は、排水口の位置に対応して設けられる。
【００１７】
更に、前記洗浄槽の槽壁のうち最高水位以下に位置する部分を封止して設けているため、洗浄過程において前記洗浄槽を貯水に用いることができる。また、前記洗浄槽の槽壁のうち最高水位よりも上に位置する部分には脱水孔が設けられており、脱水過程において、前記洗浄槽は脱水孔から排水することが可能である。また、前記洗浄槽の外壁には脱水排水装置が設けられている。脱水排水装置の入水端は前記脱水孔と連通しており、脱水排水装置の吐水端は集水装置の集水室内まで延伸している。
【００１８】
更に、前記集水装置は、洗浄槽の下方に位置するとともに洗浄槽と同軸に設置される。前記集水装置の上部の開口は洗浄槽の脱水孔よりも低くなるよう設けられる。また、前記脱水排水装置は、上から下へ集水装置の集水槽内まで延伸する排水経路を含んでいる。前記集水槽における垂直方向の深さは、洗浄槽の脱水時の回転方向に沿って徐々に増大している。
【００１９】
更に、前記洗浄槽の槽口位置には複数の脱水孔が設けられている。また、前記排水経路は複数とし、各脱水孔にそれぞれ一対一で対応している。排水経路の上端は脱水孔と連通し、下端は集水装置の集水槽内まで延伸している。
【００２０】
或いは、前記洗浄槽の槽口位置には複数の脱水孔群が均一に設けられており、各脱水孔群が複数の脱水孔を含んでいる。また、前記排水経路は複数とし、脱水孔群にそれぞれ一対一で対応している。排水経路の上端は１つの脱水孔群の複数の脱水孔と連通し、下端は集水装置の集水槽内まで延伸している。
【発明の効果】
【００２１】
本発明における洗濯機の洗浄槽は洗浄過程で貯水に使用可能なため、洗浄槽には「孔の無い洗浄槽」設計を採用している。且つ、外槽の構造設計を省略し、外槽の代わりに集水装置を使用して集水及び排水を行う。これにより、本発明は以下の技術的効果を有する。
【００２２】
１．ハウジングの容積を変えることなく洗浄槽の容量を増大させられるため、洗濯機の容量増大効果が実現される。
【００２３】
２．洗浄過程において、水は洗浄槽内にのみ存在することから、従来の洗濯機のように、内槽と外槽の間に水が溜まり、外槽の内壁と洗浄槽の外壁に「汚れや垢が付着する」との課題が回避される。従って、より良好な洗浄効果を有する。
【００２４】
３．外槽を省略し、洗浄槽を貯水槽とすることで、洗浄過程において内槽と外槽の間に溜水が存在しなくなる。これにより、洗浄用水量が減少するため、洗浄用水量の節約となる。
【００２５】
４．集水装置の集水室内には、容積を増大させるための容量増大構造が備わっている。容量増大構造は、集水装置の高さを変えることなく、集水室をできる限り外側に拡張することで容積を増大させるとの目的を実現する。これにより、集水装置からの水の飛散や溢水の問題が回避される。
【図面の簡単な説明】
【００２６】
【図１】図１は、本発明の実施例における洗濯機の構造を示す図である。
【図２】図２は、本発明の実施例１における洗濯機の集水装置の立体構造を示す第１の図である。
【図３】図３は、本発明の実施例１における洗濯機の集水装置の立体構造を示す第２の図である。
【図４】図４は、本発明の実施例１における洗濯機の集水装置の平面図である。
【図５】図５は、本発明の実施例１における洗濯機の集水装置の図４のＥ−Ｅ面に沿う断面図である。
【図６】図６は、本発明の実施例１における洗濯機の集水装置の図４のＦ−Ｆ面に沿う断面図である。
【図７】図７は、本発明の実施例２における洗濯機の集水装置の立体構造を示す図である。
【図８】図８は、本発明の実施例２における洗濯機の集水装置の平面図である。
【図９】図９は、本発明の実施例２における洗濯機の集水装置の図８のＡ−Ａ面に沿う断面図である。
【図１０】図１０は、本発明の実施例３における洗濯機の集水装置の底部を示す図である。
【図１１】図１１は、本発明の実施例３における洗濯機の集水装置の図１０のＢ−Ｂ面に沿う断面図である。
【図１２】図１２は、本発明の実施例４における洗濯機の集水装置の立体構造を示す図である。
【図１３】図１３は、本発明の実施例４における洗濯機の集水装置の底部を示す図である。
【図１４】図１４は、本発明の実施例４における洗濯機の集水装置の図１３のＣ−Ｃ面に沿う断面図である。
【図１５】図１５は、本発明の実施例５における洗濯機の集水装置の立体構造を示す図である。
【図１６】図１６は、本発明の実施例５における洗濯機の集水装置の更なる実施形態の立体構造を示す図である。
【図１７】図１７は、本発明の実施例５における洗濯機の集水装置の更なる実施形態の断面図である。
【図１８】図１８は、本発明の実施例６における洗濯機の集水装置の一実施形態の断面図である。
【図１９】図１９は、本発明の実施例６における補強構造の一実施形態の立体構造を示す図である。
【図２０】図２０は、本発明の実施例６における洗濯機の集水装置の更なる実施形態の断面図である。
【図２１】図２１は、本発明の実施例６における補強構造の更なる実施形態の立体構造を示す図である。
【図２２】図２２は、本発明の実施例６における洗濯機の集水装置の更なる実施形態の分解図である。
【図２３】図２３は、本発明の実施例６における洗濯機の集水装置の更なる実施形態の分解図である。
【図２４】図２４は、本発明の実施例６における洗濯機の集水装置の更なる実施形態の断面図である。
【発明を実施するための形態】
【００２７】
以下に、図面を組み合わせて、本発明の洗濯機について詳細に述べる。
【実施例１】
【００２８】
図１〜図６に示すように、本実施例の洗濯機は、洗浄過程で貯水に使用可能な洗浄槽２００と、洗浄槽からの排水を収集するための集水装置５００を含む。前記集水装置５００は集水室５０３を含む。
【００２９】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。
【００３０】
本実施例における洗濯機の洗浄槽は貯水槽となるため、洗浄槽には「孔無しの洗浄槽」設計が採用される。また、外槽を省略することで、集水装置は洗浄槽からの排水のみを収集して排出するよう変更される。これにより、本実施例の洗濯機は以下の技術的効果を有する。
【００３１】
１．ハウジングの容積を変えることなく洗浄槽の容量を増大させられるため、洗濯機の容量増大効果が実現される。
【００３２】
２．洗浄過程において、水は洗浄槽内にのみ存在することから、従来の洗濯機のように、内槽と外槽の間に水が溜まり、外槽の内壁と洗浄槽の外壁に「汚れや垢が付着する」との課題が回避される。従って、より良好な洗浄効果を有する。
【００３３】
３．外槽を省略し、洗浄槽を貯水槽とすることで、洗浄過程において内槽と外槽の間に溜水が存在しなくなる。これにより、洗浄用水量が減少するため、洗浄用水量の節約となる。
【００３４】
洗濯機の容量を増大させることで、脱水段階の水は洗浄槽の水路口から排出される。また、外槽が存在しないため、水路から排出された水は集水装置の集水室内に進入する。しかし、容量増大の必要性から、集水装置の高さには限界があり、且つ、集水室内の水位は一定の高さを有する。また、洗浄槽が高速回転して脱水する際には水位が上昇するとともに、水流が集水室の内壁に密着する。そのため、速やかに排出しなければ、水の飛散や水位の上昇によって排水溝から水が溢れ出してしまう。そこで、本実施例では、集水装置の高さを変えることなく、集水室内の容積をできる限り増大させることで、集水装置からの水の飛散や溢水の問題を解決する。
【００３５】
よって、本実施例の集水室５０３内には、容積を増大させるための容量増大構造が備わっている。容量増大構造は、集水装置の高さを変えることなく、集水室５０３をできる限り外側に拡張することで容積を増大させるとの目的を実現する。これにより、集水装置からの水の飛散や溢水の問題が回避される。
【００３６】
更に、本実施例の前記集水室５０３の底壁は、中央部に位置する底壁本体５０５と、底壁本体５０５の外周に位置して下方に窪んだ集水槽５０２を含む。また、前記集水装置５００は、集水槽と連通する排水口５０４を含んでいる。前記容量増大構造は、集水槽５０２における底壁本体５０５寄りの側壁に位置しており、集水槽５０２の容積を増大させるために用いられる。
【００３７】
本実施例では、集水槽５０２によって集水室の深さを部分的に増大させるとともに、洗浄槽の排水経路の出口端を集水装置５００の集水槽５０２内まで延伸させている。これにより、洗浄槽が高速回転により脱水を行ったとしても、排出された水は深さのより深い集水槽５０２内に直接進入するため、水の飛散や溢水が回避される。
【００３８】
上記から明らかなように、洗浄槽からの排水は集水装置の集水槽５０２内に直接排出される。そのため、本発明では、容量増大構造を集水槽５０２に設けて集水槽５０２の容積を増大させれば、水の飛散や溢水を回避可能となる。この場合、全体を深くする必要がないため、集水装置の高さと強度が保証される。
【００３９】
本実施例の一実施形態として、前記容量増大構造は、第１容量増大部５１２を含む。第１容量増大部５１２は、集水槽５０２における底壁本体寄りの側壁が底壁本体に向かって傾斜しつつ延伸することで形成される。これにより、集水槽５０２の容積が増大する。
【００４０】
本実施例における第１容量増大部５１２の設置方式及び傾斜角度は、いずれも集水装置全体の高さ及び強度を保証するものでなければならない。具体的に、前記集水槽５０２における底壁本体５０５寄りの側壁は、周方向全体において底壁本体５０５に向かって傾斜しつつ延伸することで、全周にわたる第１容量増大部５１２を形成する。或いは、前記集水槽５０２における底壁本体５０５寄りの側壁は、部分的に底壁本体５０５に向かって傾斜しつつ延伸することで、底壁本体の外周に沿って分布する複数の第１容量増大部５１２を形成する。
【００４１】
本実施例の前記第１容量増大部は、底壁本体の周方向全体における各位置の傾斜角度がいずれも同じである。こうすることで、集水槽５０２の容積を可能な限り増大させられる。
【００４２】
或いは、前記第１容量増大部は、底壁本体の周方向全体における各位置の傾斜角度が徐々に大きくなっている。こうすることで、集水槽の側壁と底壁本体５０５の間に移行構造が形成され、一定の導水作用が備わるため、水は底壁本体によって集水槽５０２内へと案内される。
【００４３】
本実施例の一実施形態として、前記容量増大部は第２容量増大部５１３を含む。第２容量増大部５１３は、集水槽５０２における底壁本体５０５寄りの側壁が底壁本体５０５に向かって窪むことで形成される。
【００４４】
更に、前記第２容量増大部５１３は、集水槽における底壁本体寄りの側壁の一部が底壁本体に向かって窪むことで形成されて底壁本体の外周に分布する複数の内凹陥部を含む。このうち、少なくとも１つの内凹陥部は、排水口の位置に対応して設けられる。
【００４５】
更に、前記排水口に対応する内凹陥部は、その他の内凹陥部よりも大きくなっている。
【００４６】
本実施例の洗濯機では、前記洗浄槽２００の槽壁のうち最高水位以下に位置する部分を封止して設けているため、洗浄過程において前記洗浄槽２００を貯水に用いることができる。また、前記洗浄槽２００の槽壁のうち最高水位よりも上に位置する部分には脱水孔が設けられており、脱水過程において、前記洗浄槽２００は脱水孔から排水することが可能である。また、前記洗浄槽２００の外壁には脱水排水装置３００が設けられている。脱水排水装置３００の入水端は前記脱水孔と連通しており、脱水排水装置３００の吐水端は集水装置５００の集水室５０３内まで延伸している。
【００４７】
本実施例における洗濯機の洗浄槽２００は「孔無しの洗浄槽」であるため、洗浄過程では洗浄槽２００が貯水槽となる。また、洗浄槽２００の槽壁のうち最高水位よりも上の部分には脱水孔が設けられているため、脱水機能が実現される。且つ、洗浄槽２００の槽壁には脱水排水装置が設けられている。これにより、洗濯機の脱水過程における水を脱水排水装置を通じて集水装置５００の集水室５０３内に案内し、収集して排出することで、脱水の水流が洗濯機のハウジング内に飛散することが防止される。
【００４８】
本実施例における集水装置５００は、洗浄槽２００の下方に位置するとともに、洗浄槽と同軸に設置される。前記集水装置５００の上部の開口は、洗浄槽２００の脱水孔よりも低くなるよう設けられる。また、前記脱水排水装置３００は、上から下へ集水装置５００の集水槽５０２内まで延伸する排水経路を含んでいる。前記集水槽５０２における垂直方向の深さは、洗浄槽の脱水時の回転方向に沿って徐々に増大している。本実施例では、脱水排水装置３００を集水装置５００の集水槽５０２内まで延伸させているため、脱水過程における水を集水槽５０２内に収集して排出することが可能である。且つ、集水槽５０２の深さは集水室５０３よりも大きいことから、脱水時の排水の飛散を防止可能である。
【００４９】
更に、本実施例の前記洗浄槽２００の槽口位置には複数の脱水孔が設けられている。また、前記排水経路は複数とし、各脱水孔にそれぞれ一対一で対応している。排水経路の上端は脱水孔と連通し、下端は集水装置の集水槽５０２内まで延伸している。
【００５０】
或いは、前記洗浄槽２００の槽口位置には複数の脱水孔群が均一に設けられており、各脱水孔群が複数の脱水孔を含んでいる。また、前記排水経路は複数とし、脱水孔群にそれぞれ一対一で対応している。排水経路の上端は１つの脱水孔群の複数の脱水孔と連通し、下端は集水装置の集水槽５０２内まで延伸している。
【００５１】
本実施例の一実施形態として、前記集水室５０３の底壁は、全体が面一に設置される底壁本体５０５と、底壁本体５０５の外周を一周する環状の集水槽５０２を含んでいる。また、前記排水経路は複数とし、それぞれ洗浄槽の外壁に均一に配置される。複数の排水経路の吐水端はいずれも環状の集水槽内と連通している。
【００５２】
更に、本実施例における前記排水口５０４は環状の集水槽５０２内の最低水位箇所に設けられる。前記排水口５０４は、排水量の要求を満たすよう、前記底壁本体５０５に向かって拡張している。これにより、排水口５０４の口径を拡大可能なため、吐水流量が増加し、排水要求が満たされる結果、集水装置５００における溜水及び溢流が回避される。
【００５３】
本実施例における底壁本体５０５は、バルブプラグ装着部５０６とロック部材装着部５０７を有している。バルブプラグ装着部５０６にはバルブプラグが装着され、ロック部材装着部５０７にはロック部材が装着される。また、前記洗浄槽２００の底部には、位置決め孔と洗浄槽排水口が設けられている。洗浄槽から排水する際には、ロック部材が動作して洗浄槽２００の位置決め孔に挿入されることで、洗浄槽２００が位置決め及びロックされる。且つ、バルブプラグが動作して洗浄槽排水口を開放することで、洗浄槽からの排水が実施される。
【００５４】
本実施例における集水装置５００は、内部に空洞を有するトレイ状構造をなしている。前記集水装置５００は、懸架ロッド４００によって洗濯機のハウジング１００内に懸装されている。集水装置の外周壁には、懸架ロッド４００を装着するための懸架ロッド装着ベース５０１が設置されている。好ましくは、前記懸架ロッド装着ベースは４つとし、周方向に均一に配置される。
【００５５】
本実施例における集水装置５００の底壁には駆動装置６００が装着されている。駆動装置は、洗浄槽２００及びパルセータ８００を回転駆動させる洗浄槽軸とパルセータ軸を有している。
【００５６】
本実施例における洗浄槽２００の開口にはバランスリング９００が設置されている。洗浄槽２００の脱水孔は開口箇所に設けられており、且つバランスリング９００によって遮蔽されている。これにより、見た目上は洗浄槽２００を「孔無し」とできるため、全体の一体性が向上する。
【実施例２】
【００５７】
図１、図７〜図９に示すように、本実施例の洗濯機は、洗浄過程で貯水に使用可能な洗浄槽２００と、洗浄槽２００からの排水を収集するための集水装置５００を含む。前記集水装置５００は、集水室５０３と、集水室５０３と連通する排水口５０４を含む。前記集水室５０３の底壁には、水流を排水口５０４に案内する導水構造が設けられている。
【００５８】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。また、集水装置５００の高さは洗浄槽２００の高さよりも低く、前記集水室５０３の底壁には、水流を排水口５０４に案内するための導水構造が設けられている。これにより、水流の速やかな排出を確実に保証可能となるため、集水装置５００に水が過剰に溜まって溢流が発生しそうになるとの事態が防止される。
【００５９】
本実施例の一実施形態として、前記集水室５０３の底壁の全て又は底壁の一部を高い方から低い方へ移行するよう設けることで、前記導水構造が形成される。前記排水口５０４は、集水室５０３の底壁における最高水位よりも下の位置に設けられる。これにより、排水を集水室５０３の導水構造に沿ってより良好に排水口５０４へと放出し、排出することが可能となる。
【００６０】
更に、本実施例における前記集水室５０３の底壁には、下方に窪んだ集水槽５０２が設けられており、前記集水槽５０２の垂直方向の深さを高い方から低い方へ移行するよう設けることで、前記導水構造が形成される。前記排水口５０４は、集水槽５０２内であって、最高水位よりも下の位置に設けられる。本実施例では、集水室５０３内に下方に窪んだ集水槽５０２を設けているため、水の収集容積を増大させられるとともに、水の飛散を防止可能である。集水室５０３内では集水槽の水位が最も低くなるため、排水口５０４を集水槽内に設けることで排水にいっそう有利となる。
【００６１】
具体的に、本実施例で記載する集水槽５０２は、集水室５０３の底壁の周方向に沿って環状に設置される。前記集水槽５０２の垂直方向の深さを、時計周り又は反時計周りに高い方から低い方へ移行するよう設けることで、前記導水構造が形成される。
【００６２】
好ましくは、前記集水槽の垂直方向の深さを、時計周りに高い方から低い方へ移行するよう設けることで、前記導水構造が形成される。
【００６３】
本実施例の一実施形態として、前記導水構造は、集水槽５０２の槽底であって、高い方から低い方へ向かう螺旋状構造をなすか、段差状構造をなしている。また、前記排水口５０４は集水槽内に設けられ、且つ、螺旋状構造又は段差状構造の最低水位位置に配置される。これにより、排水を完全に排出可能となるため、集水室５０３内の溜水が回避される。
【００６４】
具体的には、図９に示すように、集水槽５０２の槽底の最も高い位置と最も低い位置との差をｈとする。前記ｈは、洗濯機の排水要求に応じて設計すればよい。
【００６５】
本実施例の洗濯機は「孔無しの洗浄槽」を採用しており、且つ外槽の構造設計を省略している。また、集水装置の集水槽は高い方から低い方へ移行するよう設けられている。従って、より良好に導水及び排水がなされ、集水装置の集水及び排水が確実に保証されることから、溜水及び溢流が防止される。
【実施例３】
【００６６】
図１、図７〜図１１に示すように、本実施例の洗濯機は、洗浄過程で貯水に使用可能な洗浄槽２００と、洗浄槽２００からの排水を収集するための集水装置５００を含む。前記集水装置５００は、集水室５０３と、集水室５０３と連通する排水口５０４を含む。前記集水室５０３の底壁には、下方に窪んだ集水槽５０２が設けられている。また、前記排水口５０４の最内周は、集水槽５０２の最外周の内側に位置する。
【００６７】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。また、本実施例では、排水口５０４の最内周を集水槽５０２の最外周の内側に位置させているため、排水口５０４をフル稼働させて排水要求を満たすことが可能である。
【００６８】
本実施例の一実施形態として、前記排水口５０４の最内周は、集水槽５０２の最外周に内接している。これにより、排水口５０４は迅速な排水を実施可能となるため、集水槽５０２内の溜水が減少する。
【００６９】
図５に示すように、前記集水槽５０２の最外周をＲ０とし、前記排水口５０４の最内周をＲ１とすると、前記Ｒ０とＲ１が内接する。
【００７０】
本実施例の一実施形態として、集水装置５００の排水要求をより良好に満たすよう、前記排水口５０４は少なくとも２つとし、集水槽５０２内にそれぞれ設置する。また、複数の前記排水口５０４の最内周は、いずれも集水槽５０２の最外周の内側に位置する。これにより、各排水口５０４が迅速な排水を実施可能となるため、集水槽５０２内の溜水が極めて大幅に減少する。
【００７１】
好ましくは、少なくとも１つの排水口５０４の最内周が集水槽５０２の最外周に内接している。より好ましくは、全ての排水口５０４の最内周が、いずれも集水槽５０２の最外周に内接している。
【００７２】
本実施例の一実施形態として、前記集水槽５０２の垂直方向の深さは、高い方から低い方へ移行するよう設けられる。複数の前記排水口５０４は、集水槽５０２内であって、最高水位よりも下の位置に配置される。また、少なくとも１つの排水口５０４が、集水槽５０２内であって、最低水位位置に設けられる。
【００７３】
更に、前記排水口５０４は第１排水口と第２排水口を含む。前記第１排水口は集水槽５０２内の最低水位位置に設けられ、前記第２排水口は、集水槽５０２内の最高水位と最低水位の間の位置に設けられる。前記第１排水口の最内周と第２排水口の最内周は、それぞれ集水槽の最外周と内接する。
【００７４】
好ましくは、前記集水槽５０２は、集水室５０３の底壁の周方向に沿って環状に設置される。また、前記集水槽５０２の垂直方向の深さは、時計周り又は反時計周りに高い方から低い方へ移行するよう設けられる。前記第１排水口と第２排水口は、それぞれ集水槽５０２内に設けられ、第１排水口と第２排水口の間の夾角Ａが９０°≦Ａ≦１８０°を満たす。好ましくは、前記Ａ＝１８０°である。
【００７５】
具体的に、本実施例の前記集水室５０３の底壁は、全体が面一に設置される底壁本体５０５と、底壁本体５０５の外周を一周する環状の集水槽５０２を含んでいる。前記排水口５０４は環状の集水槽５０２内に設けられ、前記排水口５０４の最内周の一方の側が、環状の集水槽５０２の最外周に内接する。また、排水口５０４の最内周のうち、一方の側と対向する他方の側は本体５０５に向かって拡張している。
【実施例４】
【００７６】
図１、図１２〜図１４に示すように、本実施例の洗濯機は、洗浄過程で貯水に使用可能な洗浄槽２００と、洗浄槽２００からの排水を収集するための集水装置５０を含む。前記集水装置５００は、集水室５０３と、集水室５０３と連通する排水口５０４を含む。集水装置５００からの溢流を防止するとの排水要求を満たすべく、前記排水口５０４は複数とする。
【００７７】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。また、本実施例の排水口５０４は複数存在するため、集水装置５００の時間あたりの排水量を増加させられる。これにより、迅速な排水が実現され、集水槽内の溜水が減少することから、集水装置５００における溢流の発生が防止される。
【００７８】
具体的に、本実施例の一実施形態として、前記集水室５０３の底壁には、下方に窪んだ集水槽５０２が設けられている。前記排水口５０４は少なくとも２つとし、集水槽５０２内にそれぞれ設置する。集水槽５０２の位置は低くなっているため、２つの排水口を全て集水槽内に設けることで、排水要求をより良好に満たすことが可能となる。
【００７９】
更に、前記集水槽５０２の垂直方向の深さを高い方から低い方へ移行するよう設ければ、水流をより良好に案内して排出することが可能となる。複数の前記排水口５０４は、集水槽５０２内であって、最高水位よりも下の位置に配置される。また、少なくとも１つの排水口５０４を集水槽内の最低水位位置に設けることで、集水槽５０２内の水を完全に排出可能となるよう保証する。
【００８０】
本実施例の一実施形態として、前記排水口は第１排水口５０４１と第２排水口５０４２を含む。前記第１排水口５０４１は、集水槽５０２内であって、最低水位位置に設けられる。また、前記第２排水口５０４２は、集水槽５０２内であって、最高水位と最低水位の間の位置に設けられる。排水口は、できるだけ多く設けることで排水要求をより良好に満たすことが可能となるが、集水装置５００の製造加工及び全体の強度に影響が及んでしまう。そこで、本実施例では排水口を２つとすることで、排水要求をより良好に満たしつつ、集水装置５００の加工及び強度要求も保証可能とする。
【００８１】
本実施例の第１排水口５０４１は第１排水管７０１に接続され、第２排水口５０４２は第２排水管７０２に接続される。第１排水管７０１と第２排水管７０２は三方弁７０４に接続され、前記三方弁７０４は第３排水管７０３に接続される。また、第３排水管７０３は洗濯機のハウジング１００の外部と連通する。
【００８２】
更に、前記集水槽５０２は集水室５０３の底壁の周方向に沿って環状に設置される。また、前記集水槽５０２の垂直方向の深さは、時計周り又は反時計周りに高い方から低い方へ移行するよう設けられる。前記第１排水口５０４１と第２排水口５０４２はそれぞれ集水槽内に設けられ、第１排水口５０４１と第２排水口５０４２の間の夾角Ａが９０°≦Ａ≦１８０°を満たす。これにより、集水室５０３内の可能な限り離間した２つの領域から同時に排水可能となるため、もう一方の排水口の排水圧力が減少する。
【００８３】
好ましくは、前記Ａ＝１８０°とする。これにより、集水室５０３内の対向する２つの領域から同時に排水を実現可能となるため、それぞれの排水口の排水圧力が減少する。
【００８４】
好ましくは、複数の前記排水口の最内周は、いずれも集水槽の最外周の内側に位置する。
【００８５】
好ましくは、少なくとも１つの排水口の最内周が集水槽の最外周に内接している。
【００８６】
より好ましくは、前記第１排水口の最内周と第２排水口の最内周は、それぞれ集水槽の最外周と内接する。
【００８７】
本実施例の一実施形態として、複数の前記排水口の口径は同じ又は異なっている。
【００８８】
好ましくは、前記排水口の口径は、配置される集水室内の水面高さの増大に応じて拡大する。
【実施例５】
【００８９】
図１、図１５〜図１７に示すように、本実施例の洗濯機は、洗浄過程で貯水に使用可能な洗浄槽２００と、洗浄槽からの排水を収集するための集水装置５００を含む。前記集水装置５００は集水室５０３を含む。また、前記集水室５０３の側壁には溢水構造５１０が設けられている。溢水構造５１０は、集水室内から溢れた水を排出するための溢水口５０９を含む。
【００９０】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。また、本実施例における集水室５０３の側壁には溢水構造５１０が設けられている。集水室５０３内の溜水が溢水構造５１０に達すると、溢水構造５１０の溢水口５０９から集水室５０３内の溜水が排出される。これにより、集水装置５００内の溜水が過剰となって集水室５０３から溢れ出すとの事態が回避される。
【００９１】
本実施例の前記溢水構造５１０は、集水室５０３の上部の側壁に設けられる溢水室を含んでおり、前記溢水口５０９が溢水室の底壁に設けられる。集水室５０３内の溜水が溢水構造５１０に達すると、溢水構造５１０の溢水室内に集水室５０３内の溜水が進入し、溢水口５０９を通じて直接排出される。これにより、集水室５０３内の溜水量が減少するため、集水室５０３における溢水の発生が防止される。
【００９２】
図１５及び図１６に示すように、本実施例の一実施形態として、前記溢水室は集水室の上部の側壁の一部から外側に拡張するよう形成される。
【００９３】
図１２に示すように、本実施例の前記集水室５０３の外壁には溢水リング５１１が設けられており、溢水リング５１１内に前記溢水室が備わっている。前記溢水口５０９は、溢水リング５１１の底部に開設されて溢水室と連通している。前記集水室５０３から溢れた水は、集水室の壁を通過して溢水リング５１１内の溢水室に溢流し、溢水口５０９から排出される。
【００９４】
更に、前記集水装置５００は集水室開口を有している。また、前記集水リング５１１は上端に環状の開口を有する環状体である。前記環状体は集水室５０３の外壁に密封状に装着されるとともに、集水室開口に近接している。
【００９５】
本実施例の一実施形態として、前記溢水室５０３の底部は高い方から低い方へ移行するよう設けられており、前記溢水口５０９は、溢水室５０３の底部における最低水位位置に設けられる。
【００９６】
図１６に示すように、本実施例の前記溢水口５０９は溢水管７０５に接続されており、前記溢水管７０５は洗濯機の本体の外部に直接導出されている。また、排水口に接続される排水管もまた洗濯機の本体の外部に別途延伸している。
【００９７】
或いは、図１５に示すように、前記集水室５０３内には排水口５０４が設けられており、前記排水口５０４が排水管に接続されている。また、前記溢水口５０９は溢水管に接続されており、前記溢水管が前記排水管と連通している。
【００９８】
具体的に、前記排水管は、第１排水管７０１と第２排水管を含んでいる。前記第１排水管７０１は、一端が排水口５０４と連通し、他端が三方弁７０４と連通する。また、前記溢水管７０５は、一端が溢水口５０９と連通し、他端が三方弁７０４と連通する。前記第２排水管は、一端が三方弁７０４と連通し、他端が洗濯機の本体の外部に導出されている。好ましくは、前記第１排水管、第２排水管及び溢水管はいずれも垂直排水管路である。
【実施例６】
【００９９】
図１、図１８〜図２４に示すように、本実施例の洗濯機は、洗浄過程で貯水に使用可能な洗浄槽２００と、洗浄槽２００からの排水を収集するための集水装置５００を含む。前記集水装置５００は集水室５０３を含み、前記集水室５０３の側壁５０８には、強度を強化するための補強構造が設けられている。
【０１００】
本実施例における洗濯機の洗浄槽２００は貯水槽となり、洗浄槽２００の外部に外槽は設置されない。また、本実施例では、洗浄槽２００の底部にのみ集水装置５００を設置する。これにより、洗浄槽の洗浄水は集水装置５００に放出されてから排出されるため、集水装置５００は、一次的な貯水機能を実現すべく集水室５０３を有している。本実施例の洗濯機は外槽を有していないが、洗浄槽２００の底部が集水装置５００の集水室内に設置される。そのため、洗浄槽が脱水時に集水装置と衝突しないよう、洗浄槽２００は集水装置の集水室に対し相対的な位置決めを維持する必要がある。また、本実施例では、集水室５０３の側壁５０８に強度を強化するための補強構造を設けることで、集水装置の全体強度を強化する。これにより、集水装置の変形によって内槽と外槽との距離が小さくなり、「槽との衝突」、ひいては「槽の摩耗」等の現象が発生するのを防止して、洗浄槽の洗浄・脱水動作時における安定性を保証する。
【０１０１】
図１８及び図２０に示すように、本実施例で記載する補強構造は、集水室の側壁内に篏合するよう射出成型される補強部材である。本実施例では、補強部材を集水室の側壁内に射出成型することで、集水室の側壁の強度を強化するとの目的を実現する。
【０１０２】
図１８及び図１９に示すように、本実施例の一実施形態として、前記補強部材は、集水室５０３の側壁と一致するシート状の補強リング１００１である。前記シート状の補強リング１００１は垂直に集水室５０３の側壁内に篏合するよう射出成型される。このように、集水室５０３の側壁は、垂直方向全体にわたって篏合されるシート状の補強リング１００１の補強作用によって、全体の強度がいっそう強くなる。
【０１０３】
図２０及び図２１に示すように、前記補強部材は、集水室５０３の側壁と一致するスチールワイヤ状の補強リング１００２である。前記集水装置は集水室開口を含む。前記スチールワイヤ状の補強リング１００２は、集水室５０３の側壁内に篏合するよう射出成型されるとともに、集水室開口に近接して設置される。スチールワイヤ状の補強リング１００２は、周方向全体にわたって集水室５０３の側壁を貫通することで、周方向全体の強度を強化する。また、集水室開口に近接して設置することで、集水室開口部分の強度を容易に変形しないよう保証可能となる。
【０１０４】
図２２及び図２３に示すように、本実施例の一実施形態として、前記補強構造は、集水室の側壁の内部に締結される補強部材である。前記補強部材の外径は、前記集水室の側壁の内径よりもやや小さくなっている。
【０１０５】
或いは、前記補強構造は、集水室の側壁の外部に締結される補強部材である。前記補強部材の内径は、前記集水室の側壁の外径よりもやや大きくなっている。
【０１０６】
図２２に示すように、前記補強部材は、集水室の側壁と一致するシート状の補強リング１００３である。前記シート状の補強リング１００３は、クランプ装置１１００によって集水室５０３の側壁５０８の内部又は外部に緊締される。
【０１０７】
本実施例で記載するクランプ装置１１００は係合溝１１０１を含む。クランプ装置１１００は、係合溝によってシート状の補強リング１００３を集水室５０３の側壁５０８の内部又は外部に係着する。
【０１０８】
更に、本実施例で記載するシート状の補強リング１００３は、シート状の補強リング１００３の全体強度を更に強化するために、上端の開口にフランジ構造１００３１を有している。
【０１０９】
図２３に示すように、前記補強部材は、集水室の側壁と一致するスチールワイヤ状の補強リング１００４である。スチールワイヤ状の補強リング１００４は、締結ナット１００４１で接続されることで閉じられたリングとなっている。前記集水装置５００は集水室開口を含む。前記スチールワイヤ状の補強リング１００４は、締結ナット１００４１を調整することで、集水室５０３の側壁５０８の内部又は外部に締結されるとともに、集水室５０３の開口に近接して設置される。
【０１１０】
図２４に示すように、前記集水装置は集水室開口を含む。前記補強構造は、集水室開口の辺縁から外側又は内側に折り返されたフランジ構造１００５である。
【０１１１】
以上の各実施例は単独で実施してもよいし、互いに組み合わせて新たな技術方案を形成し、対応する複数の技術的課題を解決してもよい。
【０１１２】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2021515637.tif 000003
【図２】
2021515637.tif 000004
【図３】
2021515637.tif 000005
【図４】
2021515637.tif 000006
【図５】
2021515637.tif 000007
【図６】
2021515637.tif 000008
【図７】
2021515637.tif 000009
【図８】
2021515637.tif 000010
【図９】
2021515637.tif 000011
【図１０】
2021515637.tif 000012
【図１１】
2021515637.tif 000013
【図１２】
2021515637.tif 000014
【図１３】
2021515637.tif 000015
【図１４】
2021515637.tif 000016
【図１５】
2021515637.tif 000017
【図１６】
2021515637.tif 000018
【図１７】
2021515637.tif 000019
【図１８】
2021515637.tif 000020
【図１９】
2021515637.tif 000021
【図２０】
2021515637.tif 000022
【図２１】
2021515637.tif 000023
【図２２】
2021515637.tif 000024
【図２３】
2021515637.tif 000025
【図２４】
2021515637.tif 000026
【国際調査報告】
2021515637.tif 000027
2021515637.tif 000028
2021515637.tif 000029
2021515637.tif 000030